(57)【要約】  【課題】  人手を煩わすことなく、無線親機と無線子機のお互いの識別情報を無線通信によって登録する。  【解決手段】  設定器を用いて、無線子機に予め無線親機の識別情報を登録する。無線子機は、間欠受信を行って、無線親機からの送信を待つ。無線親機は、登録要求電文を送信する。この電文を受信した無線子機は、電文の内容から自己宛の登録要求であることを確認する。確認した無線子機は、応答電文を無線親機に送信する。この電文を受信した無線親機は、電文中の無線子機の識別情報を登録する。【選択図】  図３
2005184480.tif 000002
【特許請求の範囲】
【請求項１】
センタ側装置と端末網制御装置とが通信回線を介して接続され、前記端末網制御装置に接続された無線親機と、該無線親機との間でデータ伝送を行う無線子機とを備え、前記無線親機は、前記センタ側装置からの要求に応じて登録要求電文を前記無線子機に送信し、前記無線子機は、前記無線親機の識別情報を予め保有し、受信した前記電文中の送信側識別情報が前記識別情報と一致していることを確認したとき、前記無線親機に応答電文を送信し、前記無線親機は、前記応答電文を受信したとき、該応答電文中の前記無線子機の識別情報を登録するとともに、前記センタ側装置に前記無線子機からの応答電文を送信することを特徴とする無線データ通信システム。
【請求項２】
無線子機は、設定器により無線親機の識別情報を取得することを特徴とする請求項１記載の無線データ通信システム。
【請求項３】
無線親機は、登録要求電文を所定時間内に複数回数、あるいは所定回数だけ送信し、無線子機からの応答がないとき、センタ側装置に応答のないことを通知することを特徴とする請求項１または２記載の無線データ通信システム。
【請求項４】
センタ側装置と端末網制御装置とが通信回線を介して接続され、前記端末網制御装置に接続された無線親機と、該無線親機との間でデータ伝送を行う無線子機とを備え、前記無線親機は、前記センタ側装置からの要求に応じて登録要求電文を前記無線子機に送信し、前記無線子機は、受信した前記電文が自己宛の登録要求であるか判断し、登録要求であることを確認したとき、前記電文中の前記無線親機の識別情報を登録するとともに、前記無線親機に応答電文を送信し、前記無線親機は、前記応答電文を受信したとき、該応答電文中の前記無線子機の識別情報を登録するとともに、前記センタ側装置に前記無線子機からの応答電文を送信することを特徴とする無線データ通信システム。
【請求項５】
センタ側装置と端末網制御装置とが通信回線を介して接続され、前記端末網制御装置に接続された無線親機と、該無線親機との間でデータ伝送を行う無線子機とを備え、前記無線親機は、前記センタ側装置からの要求に応じてセンタ側装置のＩＤ情報を含む登録要求電文を前記無線子機に送信し、前記無線子機は、受信した前記電文が自己宛の登録要求であるか判断し、登録要求であることを確認したとき、前記電文中の前記ＩＤ情報に基づき前記センタ側装置と通信を行ってから、前記電文中の前記無線親機の識別情報を登録するとともに、前記無線親機に応答電文を送信し、前記無線親機は、前記応答電文を受信したとき、該応答電文中の前記無線子機の識別情報を登録することを特徴とする無線データ通信システム。
【請求項６】
無線親機は、センタ側装置からの要求に応じて登録要求電文を所定時間内に複数回数、あるいは所定回数だけ送信した後、前記センタ側装置との通信を終了することを特徴とする請求項５記載の無線データ通信システム。
【請求項７】
無線子機は、無線親機から受信した電文が登録要求であることを確認したとき、前記無線親機の識別情報を仮登録し、センタ側装置と通信を行った後、前記識別情報を本登録することを特徴とする請求項５または６記載の無線データ通信システム。
【請求項８】
無線子機は、受信した登録要求電文中のコマンドおよび受信側識別情報に基づいて自己宛の登録要求であるか否かを判断することを特徴とする請求項４または５記載の無線データ通信システム。
【請求項９】
センタ側装置と端末網制御装置とが通信回線を介して接続され、前記端末網制御装置に接続された無線親機と、該無線親機との間でデータ伝送を行う無線子機とを備え、前記無線子機は、前記無線親機と他の無線子機との通信をモニタし、受信した電文に含まれる前記無線親機の識別情報を仮登録し、前記無線親機を通じて前記センタ側装置と通信を行って、前記識別情報を本登録することを特徴とする無線データ通信システム。
【請求項１０】
無線子機は、受信した電文中のコマンドから無線親機から送信された電文であるか他の無線子機から送信された電文であるかを判断し、前記無線親機からの電文の場合、送信側識別情報を仮登録し、前記無線子機からの電文の場合、受信側識別情報を仮登録することを特徴とする請求項９記載の無線データ通信システム。
【請求項１１】
無線子機は、センタ側装置と通信するに際して、登録要求であることを示す情報を含む電文を無線親機に送信し、該無線親機は、受信した電文中の前記情報に応じて前記センタ側装置との通信を開始することを特徴とする請求項９または１０記載の無線データ通信システム。
【発明の詳細な説明】
【技術分野】
【０００１】
本発明は、センタ側装置に公衆電話回線等の通信回線を介して接続された端末網制御装置とガスメータ、水道メータ、センサ等の端末機器との間において、無線親機および無線子機を通じてデータ伝送を行う無線テレメータシステム、あるいは異常事態を通報するセキュリティシステムといった無線データ通信システムに関する。
【背景技術】
【０００２】
無線テレメータシステムは、センタ側網制御装置と通信回線を介して接続された端末側網制御装置（以下、Ｔ−ＮＣＵと略す）と、Ｔ−ＮＣＵに接続された無線親機と、無線親機と無線回線を介して通信を行う複数の無線子機と、無線親機または無線子機に接続されたガス、水道、電気等のメータ、センサ等の端末機器によって構成される。なお、無線親機および無線子機を総称して無線機器とする。
【０００３】
無線テレメータシステムでは、標準規格ＡＲＩＢ  ＳＴＤ−Ｔ６７に準じた無線通信を行う。無線通信を行うためには、無線親機および無線子機を設置するときに、お互いのＩＤ等の識別情報を登録しなければならない。両者がお互いのＩＤを取得し、相手のＩＤをメモリに記憶して、登録することを縁組みと称する。
【０００４】
この縁組みの方法としては、無線親機と無線子機間を有線で接続して、お互いにデータ交換を行う方法、設定器により無線親機と各無線子機に必要なデータを登録する方法、あるいは無線親機および無線子機の専用スイッチをほぼ同時に操作し、無線通信によってデータ交換を行うことで登録する方法が知られている。
【０００５】
例えば、特許文献１には、無線親機に相当する無線検針器と無線子機に相当する計量器のそれぞれの無線送受信装置とをケーブルで接続して、データの交換を行う方法が記載されている。特許文献２には、無線送受信装置にＩＤコード設定器用の接続端子を設け、設定器により無線親機と各無線子機に必要なデータを設定登録する方法が記載されている。
【特許文献１】特開平６−３４８９８６号公報
【特許文献２】特開平６−２８４４７５号公報
【発明の開示】
【発明が解決しようとする課題】
【０００６】
無線親機と無線子機間を有線で接続する方法や設定器を使用する方法では、ケーブルや設定器を接続する作業が面倒である。しかも、無線子機が多数あると、縁組み動作に相当な時間を必要とし、作業効率が悪い。専用スイッチによって無線通信する方法では、使用する無線チャネルが、他の無線機器によって使用中であった場合、キャリアセンス機能が働き、その無線チャネルが使用できない。そのため、無線通信による登録作業が行えず、無線チャネルが空くまで待たなければならず、しかも同じ作業を作業者が何度も行う必要がある。
【０００７】
本発明は、上記に鑑み、時間をかけずに縁組み動作を効率よく行える無線データ通信システムの提供を目的とする。
【課題を解決するための手段】
【０００８】
本発明は、センタ側装置と端末網制御装置とが通信回線を介して接続され、前記端末網制御装置に接続された無線親機と、該無線親機との間でデータ伝送を行う無線子機とを備え、無線親機は、センタ側装置からの要求に応じて登録要求電文を無線子機に送信し、無線子機は、無線親機の識別情報を予め保有し、受信した前記電文中の送信側識別情報が前記識別情報と一致していることを確認したとき、無線親機に応答電文を送信し、無線親機は、前記応答電文を受信したとき、該応答電文中の無線子機の識別情報を登録するとともに、センタ側装置に無線子機からの応答電文を送信するものである。なお、無線子機は、事前に設定器により無線親機の識別情報を取得しておく。
【０００９】
センタ側装置からの指示にしたがって無線親機が電文を送信し、無線子機が無線親機からの電文を受信して、その応答することにより、無線親機は、無線子機の識別情報を登録できる。したがって、人手を煩わさずに、縁組みできる。
【００１０】
そして、無線親機は、登録要求電文を所定時間内に複数回数、あるいは所定回数だけ送信し、無線子機からの応答がないとき、センタ側装置に応答のないことを通知する。センタ側装置では、登録できたこと、あるいはできなかったことを認識できる。これによって、できなかった場合でも、再度登録要求をするといったように容易に対処可能となる。
【００１１】
また、無線親機は、センタ側装置からの要求に応じて登録要求電文を無線子機に送信し、無線子機は、受信した前記電文が自己宛の登録要求であるか判断し、登録要求であることを確認したとき、前記電文中の無線親機の識別情報を登録するとともに、無線親機に応答電文を送信し、無線親機は、応答電文を受信したとき、該応答電文中の無線子機の識別情報を登録するとともに、センタ側装置に前記無線子機からの応答電文を送信するものである。
【００１２】
センタ側装置からの指示にしたがって無線親機が電文を送信したとき、無線子機が電文の内容を判断することにより、無線親機の識別情報を登録できる。無線親機も無線子機からの応答により、無線子機の識別情報を登録できる。このように、無線通信だけでお互いに識別情報を登録でき、縁組み動作がより効率的となる。
【００１３】
また、無線親機は、センタ側装置からの要求に応じてセンタ側装置のＩＤ情報を含む登録要求電文を無線子機に送信し、無線子機は、受信した前記電文が自己宛の登録要求であるか判断し、登録要求であることを確認したとき、電文中のＩＤ情報に基づきセンタ側装置と通信を行ってから、電文中の無線親機の識別情報を登録するとともに、無線親機に応答電文を送信し、無線親機は、応答電文を受信したとき、該応答電文中の無線子機の識別情報を登録するものである。
【００１４】
無線子機では、無線親機から受信した電文が登録要求であることを確認したとき、無線親機の識別情報を仮登録する。無線親機との通信を終了した後、一定時間経過したから無線親機を通じてセンタ側装置と通信を行い、識別情報を本登録する。
【００１５】
このように、無線子機からセンタ側装置に対して、通信を開始する。この通信によって、無線子機は縁組みする相手を確認できる。そして、確認後に無線親機の識別情報を登録するので、間違いなく縁組みできる。
【００１６】
無線親機は、センタ側装置からの要求に応じて登録要求電文を所定時間内に複数回数、あるいは所定回数だけ送信した後、センタ側装置との通信を終了する。これによって、センタ側装置は、無線子機との通信を継続する必要がなくなる。無線子機からの通信があったときにセンタ側装置は縁組み動作を行えばよく、無線子機からの応答を待つ時間をなくすことができる。そのため、この時間を他の無線子機に対する縁組みに利用すれば、効率的な縁組み動作を行える。
【００１７】
また、既設の通信システムに対して、無線子機を追加する場合、無線子機は、無線親機と他の無線子機との通信をモニタし、受信した電文に含まれる無線親機の識別情報を仮登録し、無線親機を通じてセンタ側装置と通信を行って、前記識別情報を本登録する。
【００１８】
すなわち、無線子機は、モニタによって、受信した電文中のコマンドから無線親機から送信された電文であるか他の無線子機から送信された電文であるかを判断する。無線親機からの電文の場合、送信側識別情報を仮登録し、無線子機からの電文の場合、受信側識別情報を仮登録する。
【００１９】
そして、無線子機は、センタ側装置と通信するに際して、登録要求であることを示す情報を含む電文を無線親機に送信し、該無線親機は、受信した電文中の前記情報に応じてセンタ側装置との通信を開始する。
【００２０】
追加される無線子機は、センタ側装置の情報を保有していないので、登録要求することができない。しかし、登録要求であることを示す情報を含む電文を無線親機に送信することにより、無線親機がセンタ側装置との通信を確立する。これによって、無線子機はセンタ側装置との通信が可能となる。
【発明の効果】
【００２１】
本発明によると、無線通信によって受信した電文に基づいて無線子機および無線親機は、お互いの識別情報を登録することができる。したがって、人手と時間をかけることなく縁組み動作を効率的に行え、しかもセンタ側装置との通信によって縁組み動作の信頼性が高まる。
【発明を実施するための最良の形態】
【００２２】
本実施形態の無線データ通信システムを図１に示す。このシステムは、端末側から検針データを通信回線を通じてセンタ側装置に伝送する無線テレメータシステムであり、ホストコンピュータ１、センタ側網制御装置２からなるセンタ側装置と、電話回線Ｌを介してセンタ側網制御装置２に接続された端末網制御装置（Ｔ−ＮＣＵ）３と、Ｔ−ＮＣＵ３に有線で接続された無線親機（以下、メインと称する）４と、無線親機４と無線通信可能な１つあるいは複数の無線子機（以下、サブと称する）５とから構成され、メイン４およびサブ５に、メータ６、センサ等の端末機器が接続される。なお、Ｔ−ＮＣＵ３には、１つの以上のメイン４が接続される場合もある。
【００２３】
サブ５は、図２に示すように、アンテナ７と、無線通信を行うための無線通信ユニット８と、ＣＰＵ９、ＲＯＭ１０、ＲＡＭ１１から構成され機器全体の制御を司る制御部１２と、接続されたメータ６あるいはセンサと通信を行うためのメータ・センサインターフェース１３と、識別情報等の通信に必要な情報を記憶する不揮発性メモリ１４と、電源としての電池１５とを備えている。メイン４は、サブ５と同じく、アンテナ２０、無線通信ユニット２１、ＣＰＵ２２、ＲＯＭ２３、ＲＡＭ２４からなる制御部２５、不揮発性メモリ２６、電池２７を備えるとともに、端末網制御装置３と通信を行うためのＴ−ＮＣＵ用インターフェース２８を備えている。
【００２４】
縁組みするために、サブ５の制御部１２は、予め保有しているメイン４の識別情報に基づいて受信した電文中の送信側識別情報がメイン４の識別情報と一致しているかを確認する手段と、メイン４の識別情報であることを確認したとき、メイン４に応答電文を送信する手段とを有する。一方、メイン４の制御部２５は、センタ側装置からの要求に応じて縁組要求電文（登録要求電文）をサブ５に送信する手段と、サブ５から応答電文を受信したとき、該応答電文中のサブ５の識別情報を登録する手段と、センタ側装置にサブ５からの応答電文を送信する手段と、サブ５からの応答電文を得られなかったとき、センタ側装置に登録できなかったことを通知する手段とを有する。
【００２５】
上記の縁組み動作を図３に基づき説明する。ここで、メイン４の識別情報である識別符号を“０００００００００００１”、サブ５の識別情報である識別符号を“０００００００００００２”とする。センタ側装置と端末側間の通信に用いる電文のフォーマットを図４に示す。縁組要求のコマンドを“Ａ０１”、縁組要求に対するレスポンスを“Ｂ０１”とする。
【００２６】
無線通信に用いる電文のフォーマットは、図５に示すように、図４に示す制御電文に無線用ヘッダを加えたものである。無線ヘッダは、受信側がデータを読み取るときに必要なビット同期信号などの同期信号に加え、早期に自局への電波と判断するために識別符号などを短縮した短縮ＩＤが含まれる。制御電文は、センタ側装置からの受信電文あるいはセンタ側装置への送信電文を含む。
【００２７】
まず、縁組みするサブ５に対して、メイン４の識別符号を登録する（ステップ３０１）。このとき、設定器を用い、サブ５に設定器を接続し、識別符号として“０００００００００００１”を送信する。サブ５の制御部１２がこの識別符号をメモリ１４に記憶することにより、メイン４の識別符号が登録される。また、自己の識別符号は、設定器によって設定されるか、あるいは工場出荷時に設定され、メモリ１４に記憶される。なお識別符号は、無線機器の製造番号といった機器固有のものであってもよい。
【００２８】
次に、センタ側装置は、図４に示すフォーマットにしたがってメイン４に縁組要求電文を送信する。これを受信したメイン４は、図５に示すフォーマットにしたがって縁組要求電文を無線送信する。この場合、送信側識別符号は“０００００００００００１”、受信側識別符号は“０００００００００００２”、コマンドは“Ａ０１”である。
【００２９】
なお、送信側識別符号は、センタ側装置において特に指定する必要はなく、固定値、例えば“００００００００００００”としてもよい。メイン４が無線送信する際に、自動的に自己の識別符号を埋め直す。
【００３０】
一方、サブ５では、縁組予定となるメイン４の識別符号が登録されると、間欠受信を行う（ステップ３０２）。サブ５は、メイン４からの無線電文を受信すると、制御部１２が、その電文中のコマンド、送信側識別符号、受信側識別符号に基づいて、縁組要求電文であること、送信側識別符号が登録予定局のものであること、受信側識別符号から自局のものであることを順次確認する（ステップ３０３）。制御部１２は、登録予定局から自局への縁組要求電文であることを確認すると、電文中のコマンドを“Ｂ０１”とする応答電文を作成し、無線通信する（ステップ３０４）。
【００３１】
メイン４は、縁組要求電文送信後、一定時間以内に正常に応答電文を受信すると、目的のサブ５との縁組み作業が成功したと判断して、サブ５の識別符号をメモリ２６に記憶して、登録する。そして、センタ側装置にサブ５からの応答電文を送信する。センタ側装置がサブ５の識別符号を登録することにより、縁組み動作が終了する。縁組みするサブ５が複数ある場合は、メイン４が、各サブ５に順に縁組要求電文を送信することによって上記の作業を行う。
【００３２】
ところで、メイン４は、一定時間以内に応答電文を受信できない場合、あるいは一定時間内に応答電文を受信したが、エラーのある応答電文である場合、再度同じ縁組要求電文を送信して、応答待ちとなる。メイン４は、予め定めた回数だけ送信を繰り返しても、応答電文の確認を取れなかった場合、登録を行わない。そして、図４に示す電文のレスポンスに縁組の失敗を示すコード、例えば“Ｃ０１”を埋め込んだ応答電文をセンタ側装置に送信する。
【００３３】
センタ側装置では、メイン４からの縁組み動作の結果の通知によって、縁組み動作の成功あるいは失敗したかの確認を行える。そのため、縁組みに失敗したとき、センタ側装置は、再度メイン４に縁組み動作の実行を要求できる。このように無線通信によって、効率よく縁組みを行うことができ、しかもその成否を確認するので、確実に縁組みでき、通信システムとしての信頼性が高まる。
【００３４】
次に、設定器を用いない縁組み動作について説明する。サブ５の制御部１２は、間欠受信を行って、受信した電文が自己宛の登録要求であるか判断する手段と、自己宛の登録要求であることを確認したとき、電文中のメイン４の識別情報を登録する手段と、メイン４に応答電文を送信する手段とを有する。一方、メイン４の制御部２５は、センタ側装置からの要求に応じて縁組要求電文（登録要求電文）をサブ５に送信する手段と、サブ５から応答電文を受信したとき、該応答電文中のサブ５の識別情報を登録する手段と、センタ側装置にサブ５からの応答電文を送信する手段と、サブ５からの応答電文を得られなかったとき、センタ側装置に登録できなかったことを通知する手段とを有する。
【００３５】
サブ５の制御部１２は、受信した縁組要求電文中のコマンドの内容を確認し、受信側識別情報と自己の識別情報とを比較して、自己宛の登録要求であるか否かを判断する。このコマンドや自己の識別情報は、工場出荷時等に予めメモリ１４に記憶されている。
【００３６】
上記の縁組み動作を図６に基づいて説明する。センタ側装置からの縁組要求電文を受信したメイン４は、図５に示すフォーマットにしたがって縁組要求電文を無線送信する。サブ５は、電源がオンされると、常に間欠受信状態にある。そのため、サブ５は、縁組要求電文を受信できる。縁組要求電文を受信したサブ５は、電文中のコマンドと受信側識別情報（識別符号）から自己宛の電文であるか確認する。自己宛であると判断すると、送信側識別情報（識別符号）をメイン４の識別情報としてメモリ１４に記憶し、登録する。その後、メイン４に応答電文を無線送信する。
【００３７】
この応答電文を受信したメイン４は、サブ５の識別情報をメモリ２６に記憶して、登録する。そして、センタ側装置にサブ５からの応答電文を送信する。センタ側装置がサブ５の識別情報を登録することにより、縁組み動作が終了する。なお、正常な応答電文を受信できない場合の動作は、上記と同じである。
【００３８】
このように、サブ５の縁組データの登録を行うために、事前に設定器によって登録予定のメイン４の識別情報を書き込む必要がなくなる。そのため、作業員の負担が減り、作業時間の短縮および作業効率の向上を図れる。
【００３９】
設定器を用いない他の縁組み動作について説明する。ここでは、メイン４は、センタ側装置からの要求に応じてセンタ側装置のＩＤ情報を含む登録要求電文をサブ５に送信する。サブ５の制御部１２は、間欠受信を行って、受信した電文が自己宛の登録要求であるか判断する手段と、自己宛の登録要求であることを確認したとき、電文中のメイン４の識別情報を仮登録する手段と、電文中のセンタ側装置のＩＤ情報を一時的にメモリ１４に記憶する手段と、このＩＤ情報に基づいてセンタ側装置と通信する手段と、センタ側装置との通信が成立したとき、メイン４の識別情報を本登録する手段と、登録したことを知らせる縁組設定電文をメイン４に送信する手段とを有する。一方、メイン４の制御部２５は、センタ側装置のＩＤ情報を含む登録要求電文を所定時間内に複数回数、あるいは所定回数だけ送信した後、サブ５との通信を終了する手段と、サブ５からの縁組設定電文を受信したとき、サブ５の識別情報を登録する手段とを有する。
【００４０】
上記の縁組み動作を図７に基づいて説明する。まず、センタ側装置からメイン４に、図８に示すフォーマットにしたがった縁組要求電文が送信される。この電文は、図４のフォーマットにデータ部が付加されたものである。データ部には、コマンド／レスポンスの種類に対応したデータが埋められている。例えば、センタ側装置のＩＤ情報を含む縁組要求電文のコマンドを“Ａ０２”とし、これに対するレスポンスを“Ｂ０２”、センタ側装置のＩＤ情報としての発呼先電話番号データを“０１２３４５６７８９０１２３４５６７８９０１２３”とする。この電文中の送信側識別符号は“０００００００００００１”、受信側識別符号は“０００００００００００２”、コマンドは“Ａ０２”、データ部は発呼先電話番号“０１２３４５６７８９０１２３４５６７８９０１２３”となる。
【００４１】
コマンドが“Ａ０２”である縁組要求電文を受信したメイン４は、縁組要求電文を一定間隔で複数回の無線送信を行うとともに、レスポンスを“Ｂ０２”とした応答電文をセンタ側装置に送信する。その後、メイン４は、センタ側装置との通信を終了して、電話回線Ｌを開放する。このように、複数回電文を送信することにより、サブ５は確実に受信することができる。
【００４２】
サブ５は、縁組要求電文を受信し、電文中のコマンドを確認するとともに、受信側識別符号を確認する。制御部１２は、コマンドの内容と識別符号の一致により、自己宛の縁組要求と判断すると、電文中のメイン４の識別符号をメモリ１４に記憶するが、仮登録とする。また、データ部の発呼先電話番号を一時記憶し、メイン４との通信を一旦終了する。制御部１２は、メイン４からの電文受信後、一定時間経過したとき、記憶している発呼先電話番号に対して発呼するために発呼電文をメイン４に送信する。
【００４３】
発呼電文を受信したメイン４は、発呼先電話番号にダイヤルする。センタ側装置が応答して、回線がつながると、メイン４は、サブ５に着信応答電文を送信する。サブ５は、着信応答電文を受信すると、縁組データの本登録動作中を示す縁組設定電文をメイン４に送信するとともに、縁組データであるメイン４の識別符号の本登録を行う。
【００４４】
メイン４は、縁組設定電文を受信すると、センタ側装置に縁組設定の応答電文を送信すると同時に、縁組データであるサブ５の識別符号を登録する。センタ側装置、縁組確認電文を送信し、これを受信したメイン４は、サブ５にこの電文を送信する。サブ５がこの電文を受信することにより、縁組み動作が終了する。
【００４５】
このような縁組み動作を行うことにより、センタ側装置は、要求電文を１回送信すれば、後はサブ５からの応答を待つだけでよい。送信後の待ち時間の間に、他のサブ５との縁組み動作を実行することが可能となり、時間を有効に活用できる。したがって、縁組みに要する時間を短縮でき、通信システムの運営の効率を高めることができる。
【００４６】
上記では、メイン４およびサブ５を新設した場合における縁組み動作を説明したが、既設の通信システムに新たにサブ５を追加する場合の縁組み動作について説明する。サブ５の制御部１２は、すでに縁組みされたメイン４と他のサブ５との通信をモニタする手段と、受信した電文に含まれるメイン４の識別情報を仮登録する手段と、メイン４を通じてセンタ側装置と通信を行ってから、メイン４の識別情報を本登録する手段とを有する。制御部１２は、通信をモニタすることによって、受信した電文中のコマンドからメイン４から送信された電文であるか他のサブ５から送信された電文であるかを判断する。また、センタ側装置と通信するに際して、登録要求であることを示す情報を含む電文をメイン４に送信する。
【００４７】
メイン４の制御部２５は、受信した電文中に登録要求であることを示す情報が含まれているか確認する手段と、この情報が含まれているとき、未登録のサブ５からの登録要求であると判断して、センタ側装置との通信を開始する手段とを有する。
【００４８】
サブ５は、縁組データの取得を開始するための縁組スイッチを備えている。図９に示すように、サブ５の制御部１２は、縁組スイッチが操作されたか否かを検出している（ステップ９０１）。縁組スイッチが操作されると、制御部１２は、無線受信モードとなって、間欠受信を開始し、タイマをスタートさせる（ステップ９０２）。
【００４９】
何らかの信号を受信したとき、制御部１２は、受信した信号が所定のフォーマットにしたがった電文であるかを判別する。すなわち、この信号のフォーマットが図５に示すフォーマットと一致するか確認する（ステップ９０３）。フォーマットが一致したとき、制御部１２は、無線通信における電文であると判断し、制御電文の確認を行う。制御電文は、図８に示すように、所定位置にコマンド／レスポンスが存在する。このコマンド／レスポンスの内容から、メイン４からの送信かサブ５からの送信かを判断する（ステップ９０４）。メイン４からの送信電文と判断した場合、送信側識別符号を縁組相手として仮登録する（ステップ９０７）。サブ５からの送信電文と判断した場合、受信側識別符号を縁組相手として仮登録する（ステップ９０５）。
【００５０】
一方、電文のフォーマットが一致しなかった場合は、制御部１２は、タイマがカウントアップしたかをチェックする（ステップ９０６）。タイムアップしたときには、再び縁組スイッチの確認（ステップ９０１）に戻り、タイムアップしていないときには、無線受信モードが続行され、受信した信号のフォーマットのチェックを行う（ステップ９０３）。
【００５１】
サブ５の制御部１２は、登録予定のメインの識別符号を仮登録した後、センタ側装置に発呼を行う。このとき、制御部１２は、発呼先電話番号データを保有していないので、予め定めたダミーの電話番号を用いた発呼電文を送信する。ダミーの電話番号は、例えば“＊＊＊＊＊＊＊＊＊＊＊＊＊＊＊＊＊＊＊＊＊＊＊＊”とする。
【００５２】
この発呼電文を受信したメイン４は、発呼先電話番号にダミーの電話番号が使用されていることから縁組要求と判断する。そこで、メイン４は、自己が管理している発呼先電話番号にダイヤルして、センタ側装置と回線をつなぎ、通信を行う。センタ側装置からの応答電文を確認できれば、メイン４およびサブ５は、図７に示したシーケンスと同様の手順で縁組データの登録を行う。したがって、既設の通信システムに新しくサブ５を追加するときでも、センタ側装置に負担をかけることなく、無線通信によって容易に縁組みを行うことができる。
【００５３】
なお、本発明は、上記実施形態に限定されるものではなく、本発明の範囲内で上記実施形態に多くの修正および変更を加え得ることは勿論である。無線親機と無線子機との通信は、無線ＬＡＮ、ＰＨＳ、ブルートゥースを利用してもよい。そして、識別情報は、ＩＰアドレスあるいはＭＡＣアドレスとしてもよい。
【図面の簡単な説明】
【００５４】
【図１】本発明の無線テレメータシステムの概略構成図
【図２】無線親機および無線子機の概略構成を示すブロック図
【図３】無線子機が無線親機の識別情報を保有している場合の縁組み動作のフローチャート
【図４】センタ側装置との通信時の電文のフォーマットを示す図
【図５】無線通信の電文のフォーマットを示す図
【図６】無線子機が無線親機の識別情報を保有していない場合の縁組み動作のシーケンス図
【図７】無線子機がセンタ側装置と通信しながら縁組み動作するときのシーケンス図
【図８】センタ側装置との通信時の電文のフォーマットを示す図
【図９】無線子機を追加する場合における縁組み動作のフローチャート
【符号の説明】
【００５５】
３    端末網制御装置
４    無線親機（メイン）
５    無線子機（サブ）
６    メータ
１２    制御部
１４    不揮発性メモリ
２５    制御部
２６    不揮発性メモリ
【図１】
2005184480.tif 000003
【図２】
2005184480.tif 000004
【図３】
2005184480.tif 000005
【図４】
2005184480.tif 000006
【図５】
2005184480.tif 000007
【図６】
2005184480.tif 000008
【図７】
2005184480.tif 000009
【図８】
2005184480.tif 000010
【図９】
2005184480.tif 000011